(57)【要約】【課題】  顧客の自由な選択によりＣＤ等の音楽コンテンツの視聴を可能ならしめるとともに、商品の購入の有無にかかわらず顧客にとって有用な情報を提供する。【解決手段】  音楽コンテンツの包装に、ＲＦＩＤタグ３０を貼付する。ＲＦＩＤタグ３０には、楽曲の一部のフレーズ（例えばサビの部分）の演奏情報（ＭＩＤＩ，ＳＭＡＦ等）またはＰＣＭデータが記憶されている。携帯電話機１のユーザは、携帯電話機１をＲＦＩＤタグ３０に近接させ所定の操作を行うことによって、該演奏情報またはＰＣＭデータを取得でき、携帯電話機１によってこれを試聴することができる。【選択図】  図１
2006235674.tif 000002
【特許請求の範囲】
【請求項１】
少なくとも音声信号を含むコンテンツを格納するコンテンツ記録媒体または該コンテンツ記録媒体の包装に設けられた集積回路タグと通信する通信端末であって、
音声信号を生成するためのデジタル音声情報または演奏情報である自動再生データを記憶する自動再生データ記憶手段と、
自動的に発生するイベントを契機として前記自動再生データを再生する自動再生手段と、
前記コンテンツに係る音声の一部のデジタル音声情報または該デジタル音声情報に係る演奏情報である試聴データと、該試聴データを無償で自動再生することの許否を表す自動再生許否情報とを前記集積回路タグから受信する受信手段と、
所定の試聴操作が行われたときに、前記試聴データを直ちに再生する試聴再生手段と、
ユーザによって所定の転送操作が行われると、前記自動再生許否情報によって無償で自動再生が許可されていることを条件として、前記試聴データを前記自動再生データとして前記自動再生データ記憶手段に記憶する無償転送手段と
を有することを特徴とする通信端末。
【請求項２】
前記自動再生許否情報によって無償の自動再生が拒否されていることを条件として、前記試聴データを購入するように案内する購入案内メッセージを表示する表示手段と、
前記表示手段に前記購入案内メッセージが表示され、前記通信端末において所定の購入操作が行われたことを条件として、前記試聴データを前記自動再生データとして前記自動再生データ記憶手段に記憶する有償転送手段と
をさらに有することを特徴とする請求項１記載の通信端末。
【請求項３】
少なくとも音声信号を含むコンテンツを格納するコンテンツ記録媒体または該コンテンツ記録媒体の包装に設けられ、通信端末との間で情報通信を行う集積回路タグであって、
前記コンテンツに係る音声の一部のデジタル音声情報または該デジタル音声情報に係る演奏情報を試聴データとして記録した記憶手段と、
前記通信端末に対して前記試聴データを送信する送信手段と
を有することを特徴とする集積回路タグ。
【請求項４】
前記記憶手段は、前記通信端末に対して前記試聴データを無償で自動再生することの許否を表す自動再生許否情報をさらに記録するものであり、
前記送信手段は前記自動再生許否情報をさらに送信するものである
ことを特徴とする請求項３記載の集積回路タグ。
【請求項５】
少なくとも音声信号を含むコンテンツを格納するコンテンツ記録媒体または該コンテンツ記録媒体の包装に設けられた集積回路タグと通信するとともに、デジタル音声情報または演奏情報である自動再生データを記憶する自動再生データ記憶手段を有し、自動的に発生するイベントを契機として該自動再生データを音声信号として再生する通信端末の処理装置において実行されるプログラムであって、
前記処理装置が、前記コンテンツに係る音声の一部のデジタル音声情報または該デジタル音声情報に係る演奏情報を試聴データとして前記集積回路タグから受信する受信過程と、
前記処理装置が、所定の試聴操作を検出すると、前記試聴データを直ちに再生する試聴再生過程と、
前記処理装置が、所定の転送操作を検出すると、前記自動再生許否情報によって無償で自動再生が許可されていることを条件として、前記試聴データを前記自動再生データとして前記自動再生データ記憶手段に記憶する無償転送過程と
を前記処理装置に実行させることを特徴とするプログラム。
【発明の詳細な説明】
【技術分野】
【０００１】
本発明は、ＣＤ（コンパクトディスク）、その他音楽用媒体のパッケージに用いて好適な通信端末、集積回路タグおよびプログラムに関する。
【背景技術】
【０００２】
従来より、ＣＤショップに陳列してあるＣＤ等の媒体について顧客が視聴を希望する場合があため、ＣＤショップにおいては、視聴用のＣＤとともにこれを再生するＣＤプレイヤーが備え付けられていることがある。また、商品の包装に無線タグを貼付し、顧客が有する端末装置によって該無線タグを読み取り、該端末装置に商品の組成や広告宣伝等の情報を表示する技術が特許文献１に開示されている。
【０００３】
【特許文献１】特開２００２−２６８５９３号公報
【発明の開示】
【発明が解決しようとする課題】
【０００４】
しかし、ＣＤショップにおいて視聴用のＣＤを準備するとしても、宣伝費用対効果の面に鑑みれば、視聴用のＣＤは販売数の多い商品のみに限られてしまう。また、特許文献１に開示された技術においては、顧客が無線タグから商品の組成や広告宣伝等の情報を取得することができたとしても、当該商品を購入しないことを顧客が最終的に決定した場合には、かかる情報は顧客にとって全く価値の無い情報になっていた。
この発明は上述した事情に鑑みてなされたものであり、顧客の自由な選択により楽曲等の視聴を可能ならしめるとともに、商品の購入の有無にかかわらず顧客にとって有用な情報を提供できる通信端末、集積回路タグおよびプログラムを提供することを目的としている。
【課題を解決するための手段】
【０００５】
上記課題を解決するため本発明にあっては、下記構成を具備することを特徴とする。なお、括弧内は例示である。
請求項１記載の通信端末にあっては、少なくとも音声信号を含むコンテンツを格納するコンテンツ記録媒体または該コンテンツ記録媒体の包装に設けられた集積回路タグと通信する通信端末（１）であって、音声信号を生成するためのデジタル音声情報または演奏情報である自動再生データを記憶する自動再生データ記憶手段（４）と、自動的に発生するイベント（他の電話機からの着信またはアラーム）を契機として前記自動再生データを再生する自動再生手段（２，２６）と、前記コンテンツに係る音声の一部のデジタル音声情報または該デジタル音声情報に係る演奏情報である試聴データと、該試聴データを無償で自動再生することの許否を表す自動再生許否情報とを前記集積回路タグから受信する受信手段（１６）と、所定の試聴操作が行われたときに、前記試聴データを直ちに再生する試聴再生手段と（２，ＳＰ２２，ＳＰ２４）、ユーザによって所定の転送操作が行われると、前記自動再生許否情報によって無償で自動再生が許可されていることを条件として、前記試聴データを前記自動再生データとして前記自動再生データ記憶手段に記憶する無償転送手段（ＳＰ３２，ＳＰ３４）とを有することを特徴とする。
さらに、請求項２記載の構成にあっては、請求項１記載の通信端末において、前記自動再生許否情報によって無償の自動再生が拒否されていることを条件として、前記試聴データを購入するように案内する購入案内メッセージを表示する表示手段（８，ＳＰ３６）と、前記表示手段に前記購入案内メッセージが表示され、前記通信端末において所定の購入操作が行われたことを条件として、前記試聴データを前記自動再生データとして前記自動再生データ記憶手段に記憶する有償転送手段（ＳＰ４０〜ＳＰ４４，ＳＰ３４）とをさらに有することを特徴とする。
また、請求項３記載の集積回路タグにあっては、少なくとも音声信号を含むコンテンツを格納するコンテンツ記録媒体または該コンテンツ記録媒体の包装に設けられ、通信端末との間で情報通信を行う集積回路タグ（３０）であって、前記コンテンツに係る音声の一部のデジタル音声情報または該デジタル音声情報に係る演奏情報を試聴データとして記録した記憶手段（４０）と、前記通信端末に対して前記試聴データを送信する送信手段（３６）とを有することを特徴とする。
さらに、請求項４記載の構成にあっては、請求項３記載の集積回路タグにおいて、前記記憶手段（４０）は、前記通信端末に対して前記試聴データを無償で自動再生することの許否を表す自動再生許否情報をさらに記録するものであり、前記送信手段（３６）は前記自動再生許否情報をさらに送信するものであることを特徴とする。
また、請求項５記載のプログラムにあっては、少なくとも音声信号を含むコンテンツを格納するコンテンツ記録媒体または該コンテンツ記録媒体の包装に設けられた集積回路タグと通信するとともに、デジタル音声情報または演奏情報である自動再生データを記憶する自動再生データ記憶手段を有し、自動的に発生するイベント（他の電話機からの着信またはアラーム）を契機として該自動再生データを音声信号として再生する通信端末の処理装置において実行されるプログラムであって、前記処理装置が、前記コンテンツに係る音声の一部のデジタル音声情報または該デジタル音声情報に係る演奏情報を試聴データとして前記集積回路タグから受信する受信過程（ＳＰ２〜ＳＰ１２）と、前記処理装置が、所定の試聴操作を検出すると、前記試聴データを直ちに再生する試聴再生過程（ＳＰ２２，ＳＰ２４）と、前記処理装置が、所定の転送操作を検出すると、前記自動再生許否情報によって無償で自動再生が許可されていることを条件として、前記試聴データを前記自動再生データとして前記自動再生データ記憶手段に記憶する無償転送過程（ＳＰ３２，ＳＰ３４）とを前記処理装置に実行させることを特徴とする。
【発明の効果】
【０００６】
このように、本発明によれば、集積回路タグからユーザ等の通信端末に対して、コンテンツに係るデジタル音声情報または演奏情報を試聴データとして通信端末に供給することができるから、商品の購入の有無にかかわらず、着信音等の自動再生音として、顧客にとって有用なデータを提供することができる。また、自動再生許否情報に応じて該試聴データを自動再生データとして記憶手段に記憶させることを許可することにより、コンテンツの提供者の意思に基づいて、有償または無償で該試聴データを自動再生用のデータとして顧客に提供することができる。
【発明を実施するための最良の形態】
【０００７】
1．実施例の構成
次に、本発明の一実施例の音楽コンテンツ配信システムの構成を図１を参照し説明する。図において１は一般ユーザによって保有されている携帯電話機である。その内部において２はＣＰＵであり、フラッシュメモリ４に記憶されたプログラムに基づいて、バス１２を介して携帯電話機１内部の各部を制御する。また、フラッシュメモリ４には、このようなプログラムの他、ＭＩＤＩデータやＰＣＭデータなども記憶されており、これらは、着信音やアラーム音等の自動再生音を合成するために使用される。６は揮発性メモリのＲＡＭであり、ＣＰＵ２のワークメモリとして用いられる。８はディスプレイであり、ユーザに対して各種情報を表示する。１０はキーボードであり、テンキーおよびファンクションキー等から構成されている。
【０００８】
１６はＲＦＩＤ通信部であり、アンテナ１４を介して、一定周波数かつ一定振幅の電波Ｓ１を送信するとともに、この電波Ｓ１を逓倍した周波数を有する電波Ｓ２を受信し、この電波Ｓ２を復調することによってデータを受信する。１８は電話通信部であり、マイク２０から入力された音声信号あるいはバス１２を介して供給されたデータ信号を変調しアンテナ２４を介して携帯電話網に送信するとともに、該携帯電話網から受信した音声およびデータ信号を復調し、復調した音声信号をスピーカ２２を介して発音させるとともに、復調したデータ信号をバス１２を介して出力する。２６は音源部であり、ＣＰＵ２から供給されたＭＩＤＩデータまたはＰＣＭデータに基づいて楽音信号を生成し、スピーカ２８を介して放音する。
【０００９】
次に、ＲＦＩＤタグ３０は、ＣＤ等の音楽コンテンツを収録した媒体またはその包装に貼付されるラベル状のＲＦＩＤタグである。その内部において３２はアンテナであり、上記電波Ｓ１を受信する。３４は電源部であり、受信した電波Ｓ１を整流し、ＲＦＩＤタグ３０内の各部に印加される直流電圧を生成する。３８はＣＰＵであり、ＲＯＭ４０に記憶されたプログラムに基づいてバス４４を介してＲＦＩＤタグ３０内の各部を制御する。４２はＲＡＭであり、ＣＰＵ３８のワークメモリとして使用される。３６は通信部であり、受信した電波Ｓ１を逓倍して電波Ｓ２の搬送波を生成し、ＣＰＵ３８から供給された送信データによって該搬送波を変調し、変調した信号をアンテナ３２を介して電波Ｓ２として出力する。
【００１０】
また、上記ＲＯＭ４０には、プログラム以外に以下のデータが記憶されている。
（１）試聴データ：試聴データとは、上記音楽コンテンツに係る楽曲の一部のフレーズ（例えばサビの部分）の演奏情報（ＭＩＤＩ，ＳＭＡＦ等）またはＰＣＭデータである。
（２）付随データ：付随データには、試聴データの識別番号、ユーザが該試聴データを携帯電話機１の自動再生音（着信音、アラーム音等）として使用することを許可するか否かを示す自動再生許可フラグ、該試聴データを自動再生音として使用することが有料である場合にはその価格等の情報が含まれている。
（３）終了コード：終了コードとは、上記試聴データおよび付随データの送信が完了したときにその旨を示すために送信されるデータである。さらに、終了コードには、試聴データおよび付随データフラグのチェックサム値も含まれている。
【００１１】
2．実施例の動作
次に、本発明の動作を説明する。
まず、ＲＦＩＤタグ３０においては、受信する電波Ｓ１の強度が充分に強くなると、電源部３４から所定の電圧が出力され、ＣＰＵ３８等、各部の動作が可能になる。そして、ＣＰＵ３８においては、図２(b)に示す送信ルーチンが実行される。図において処理がステップＳＰ５２に進むと、ＲＯＭ４０内に記憶された試聴データが通信部３６を介して送信される。同様に、ステップＳＰ５４においては付随データが送信され、ステップＳＰ５６においては所定の終了コードが送信される。以後、充分な強度の電波Ｓ１が供給され続ける限り、このステップＳＰ５２〜ＳＰ５６が繰り返し実行されることになる。
【００１２】
一方、携帯電話機１のキーボード１０においてユーザが所定のデータ読込操作を行うと、携帯電話機１において図２(a)に示すデータ読込ルーチンが起動される。図において処理がステップＳＰ２に進むと、ＲＦＩＤ通信部１６から電波Ｓ１の送信が開始される。従って、その際にアンテナ１４をＲＦＩＤタグ３０に近接させていれば、ＲＦＩＤタグ３０において上述した図２(b)の処理が実行されることになる。次に、処理がステップＳＰ４に進むと、上述した終了コードを既に受信したか否かに基づいて、データ受信が完了したか否かが判定される。未だ完了していなければ「ＮＯ」と判定され、処理はステップＳＰ８に進む。
【００１３】
ステップＳＰ８においては、タイムアウトが発生したか否か、すなわち先にステップＳＰ２が実行された後に所定の最大時間以上の時間が経過したか否かが判定される。ここで「ＮＯ」と判定されると処理はステップＳＰ１４に進み、ＲＦＩＤ通信部１６を介して、ＲＦＩＤタグ３０から供給されるデータが所定時間だけ受信される。次に、処理がステップＳＰ１６に進むと、受信した範囲のデータにエラーが生じているか否かが判定される。また、先にステップＳＰ１４において終了コードの受信が完了した場合には、この終了コードに含まれるチェックサム結果と、先に受信した試聴データおよび付随データの各バイトの累積結果とが比較され、両者が一致していなければデータエラーが生じたと判定されることになる。ここで、データが正常に受信された場合には「ＮＯ」と判定され、処理はステップＳＰ１８に進む。ここでは、受信できた範囲のデータがＲＡＭ６に格納され、処理はステップＳＰ４に戻る。
【００１４】
以後、携帯電話機１およびＲＦＩＤタグ３０間において正常にデータの送受信が行われている場合には、ステップＳＰ４，ＳＰ８，ＳＰ１４，ＳＰ１６，ＳＰ１８から成るループが繰り返され、ＲＡＭ６には受信したデータが蓄積されてゆく。ここで、ＲＦＩＤ通信部１６によって終了コードが受信されると、次に処理がステップＳＰ４に進んだ際に「ＹＥＳ」と判定され、処理はステップＳＰ６に進む。ここでは、データが正常に受信された旨を示す所定の受信終了メッセージがディスプレイ８に表示される。
【００１５】
一方、ステップＳＰ８においてタイムアウトが検出された場合、あるいはステップＳＰ１６においてデータエラーが検出された場合には、これら何れかのステップにおいて「ＹＥＳ」と判定され処理はステップＳＰ１０に進む。ここでは、データは正常に受信できなかった旨を示すエラーメッセージがディスプレイ８に表示される。そして、ステップＳＰ６またはＳＰ１０においてメッセージの表示が終了すると、処理はステップＳＰ１２に進み、電波Ｓ１の送信が終了される。なお、データが正常に受信できなかった場合は、ユーザはデータ読込操作を再び実行するとよい。
【００１６】
以上の処理によって、試聴データおよび付随データの受信が正常に完了した後にユーザがキーボード１０において所定の試聴操作を行うと、図３(a)に示す試聴ルーチンが起動される。図において処理がステップＳＰ２２に進むと、ＲＡＭ６内の試聴データの再生が開始される。すなわち、同ステップが実行された以降は、当該試聴データが音源部２６に逐次送信され、合成された楽音信号がスピーカ２８を介して出力される。次に、処理がステップＳＰ２４に進むと、試聴データの再生が完了したか否かが判定される。そして、再生が完了したと判定されると、本ルーチンの処理は終了する。
【００１７】
そして、かかる試聴を行った結果、ユーザが該試聴データを、自動再生データ（着信音やアラーム音等として自動的に再生可能なデータ）として使用することを希望する場合には、試聴データの登録を行う所定の登録操作がユーザによって実行されることになる。かかる登録操作が実行されると、図３(b)に示す登録処理ルーチンが起動される。図において処理がステップＳＰ３２に進むと、ＲＡＭ６内の自動再生許可フラグが“１”であるか否かが判定される。なお、“１”であればユーザに対して、該試聴データを自動再生音として使用することを許可し、“０”であればこれを拒否する、という意味である。ステップＳＰ３２において「ＹＥＳ」と判定されると、処理はステップＳＰ３４に進み、ＲＡＭ６内の試聴データがフラッシュメモリ４内の楽音信号領域に転送される。これにより、ユーザは、該試聴データを他の自動再生データと同様に、着信音やアラーム音として割り当てることが可能になる。
【００１８】
一方、ステップＳＰ３２において「ＮＯ」と判定されると、処理はステップＳＰ３６に進む。ここでは、当該試聴データを自動再生データとして使用することは有料である旨と、自動再生データとして使用するための金額とをユーザに報知しつつ、購入を案内するメッセージがディスプレイ８に表示される。さらに、この画面上では、「購入する」または「購入しない」の選択肢が示され、ユーザによって何れかが指示されるまで処理が待機する。そして、ユーザの指示が入力されると、処理はステップＳＰ３８に進む。ここでは、「購入する」が選択されたか否かが判定される。ここで「購入しない」が選択されていた場合は「ＮＯ」と判定され、本ルーチンの処理は直ちに終了する。
【００１９】
一方、「購入する」が選択されていた場合は「ＹＥＳ」と判定され、処理はステップＳＰ４０に進む。ここでは、電話通信部１８から所定の電話番号（試聴データの販売処理を行う配信センターの電話番号）が発呼され、ＲＡＭ６内の付随データが該配信センターに送信される。これにより、携帯電話機１のユーザには、電話会社を介して、使用料が後日課金されることになる。次に、処理がステップＳＰ４２に進むと、かかる購入処理が成功したか否かが判定される。ここで「ＮＯ」と判定されると本ルーチンの処理は直ちに終了する。一方、「ＹＥＳ」と判定されると処理はステップＳＰ４４に進み、自動再生許可フラグが“１”に変更される。次に、処理がステップＳＰ３４に進むと、上述したように該試聴データが自動再生データとしてフラッシュメモリ４内の楽音信号領域に転送される。
【００２０】
フラッシュメモリ４内の楽音信号領域に記憶された自動再生データは、着信音やアラーム音等の自動再生音として自由に選択することができる。すなわち、他の電話器から携帯電話機１に着信があった場合には、着信音として選択された自動再生データが再生される。また、携帯電話機１のアラーム機能がオン状態になっており、現在時刻が所定のアラーム時刻になった場合には、アラーム音として選択された自動再生データが再生される。これらの再生処理の内容は上記試聴ルーチン（図３(a)）と同様である。
【００２１】
3．変形例
本発明は上述した実施例に限定されるものではなく、例えば以下のように種々の変形が可能である。
(1)上記実施例においては、フラッシュメモリ４に記憶されたプログラムによってＣＰＵ２が各種処理を実行したが、このプログラムのみをＣＤ−ＲＯＭ、フレキシブルディスク等の記録媒体に格納して頒布し、あるいは伝送路を通じて頒布することもできる。
【００２２】
(2)上記実施例においては、ＭＩＤＩデータを楽音信号に変換する音源部２６を設けたが、かかる変換処理はＣＰＵ２においてソフトウエア音源プログラムを実行することにより実現してもよい。
(3)また、上記実施例はＣＤ等、音楽コンテンツを収録した媒体またはその包装にＲＦＩＤタグ３０を貼付する場合を例として説明したが、本発明は音楽コンテンツに限定されるものではなく、語学教材のＣＤや映画のＤＶＤなどに適用してもよいことは言うまでも無い。
【図面の簡単な説明】
【００２３】
【図１】本発明の一実施例の音楽コンテンツ配信システムのブロック図である。
【図２】携帯電話機１およびＲＦＩＤタグ３０におけるデータ送受信処理のフローチャートである。
【図３】携帯電話機１における各種イベント処理のフローチャートである。
【符号の説明】
【００２４】
１：携帯電話機、２：ＣＰＵ、４：フラッシュメモリ、６：ＲＡＭ、８：ディスプレイ、１０：キーボード、１２：バス、１４：アンテナ、１６：ＲＦＩＤ通信部、１８：電話通信部、２０：マイク、２２：スピーカ、２４：アンテナ、２６：音源部、２８：スピーカ、３０：ＲＦＩＤタグ、３２：アンテナ、３４：電源部、３６：通信部、３８：ＣＰＵ、４０：ＲＯＭ、４２：ＲＡＭ、４４：バス。
【図１】
2006235674.tif 000003
【図２】
2006235674.tif 000004
【図３】
2006235674.tif 000005